(57)【要約】【課題】複数の機能を有する本体部と、当該本体部に対する位置が移動可能に接続された操作部とを備え、操作部に設けられた表示手段に、本体部に対する操作部の位置に応じた情報を表示させる電子機器を提供する。【解決手段】制御部１００が、第１のスイッチ５１および第２のスイッチ５２が押下されたか否かにもとづいて、操作パネル１におけるタッチパネル３が設けられている面と、出力紙排出棚２の上面とのなす角度を判断する。制御部１００は、角度が０°であると判断した場合に、第１の状態に各部を制御する。また、制御部１００は、角度が９０°であると判断した場合に、第２の状態に各部を制御する。制御部１００は、４５°であると判断した場合に、第３の状態に各部を制御する。【選択図】図４
2008228015.tif 000002
【特許請求の範囲】
【請求項１】
本体部と、前記本体部に対する位置が移動可能に接続され、ユーザによって指示が入力される入力手段、および情報を表示する表示手段が設けられた操作部とを備えた電子機器において、
前記本体部は、
前記操作部の位置を検出する検出手段と、
前記操作部に、前記表示手段に表示させる画面の情報を送信する表示制御手段と、
前記検出手段が検出した前記操作部の位置に応じて、前記表示制御手段に、前記表示手段に表示させる画面の情報を前記操作部へ送信させる制御手段とを含む
ことを特徴とする電子機器。
【請求項２】
本体部は、印刷手段を含み、
制御手段は、検出手段が検出した操作部の位置が所定の位置である場合に、前記印刷手段への電力供給を中断させる
請求項１記載の電子機器。
【請求項３】
本体部は、記憶手段と、通信回線を介して画像データを受信する受信手段とを含み、
制御手段は、検出手段が検出した操作部の位置が所定の位置である場合に、前記受信手段が受信した画像データを、印刷手段に出力することなく、前記記憶手段に記憶させる
請求項２記載の電子機器。
【請求項４】
表示手段は、表示制御手段の制御に応じて点灯または消灯するバックライトを含み、
制御手段は、検出手段が検出した操作部の位置が予め決められた位置である場合に、前記表示制御手段に前記バックライトを消灯させる
請求項１から請求項３のうちいずれか１項記載の電子機器。
【請求項５】
印刷手段を含む本体部に、前記本体部に対する位置が移動可能に接続された操作部に設けられた表示手段に情報を表示させる情報表示方法において、
前記本体部に対する前記操作部の位置を検出する検出ステップと、
前記検出ステップで検出した前記操作部の位置に応じて、前記表示手段に表示させる画面の情報を、前記操作部に送信する制御ステップとを含み、
前記制御ステップで、前記検出ステップにおいて前記操作部の位置が所定の位置であることを検出した場合に、前記印刷手段への電力供給を中断する
ことを特徴とする情報表示方法。
【請求項６】
本体部と、前記本体部に対する位置が移動可能に接続され、情報を表示する表示手段が設けられた操作部とを備えた電子機器に搭載される情報表示プログラムであって、
コンピュータに、
前記本体部に対する前記操作部の位置を判断する判断処理と、
前記判断処理で判断した前記操作部の位置に応じて、前記表示手段に表示させる画面の情報を、前記操作部に送信する制御処理とを実行させ、
前記制御処理で、前記判断処理において前記操作部の位置が所定の位置であると判断した場合に、印刷手段への電力供給を中断させる
ための情報表示プログラム。
【発明の詳細な説明】
【技術分野】
【０００１】
本発明は、複数の機能を有する本体部と、当該本体部に対する位置が移動可能に接続された操作部とを備えた電子機器、当該操作部に設けられた表示手段に情報を表示させる情報表示方法、および情報表示プログラムに関する。
【背景技術】
【０００２】
複写機やファクシミリ装置には、ユーザによって指示が入力される操作パネルが設けられている。一般に、操作パネルにはタッチパネルが設けられ、ユーザは、タッチパネルに表示された画面における所定の領域に触れて指示を入力する。
【０００３】
なお、複写機能や、ファクシミリ機能、スキャナ機能等を有する複合機には、各機能に応じてタッチパネルに表示させる画面が予め用意され、制御手段が、ユーザによってなされた操作に従って、各機能に応じた画面をタッチパネルに表示させる。
【０００４】
複写機能に応じた画面とは、例えば、用紙の大きさを選択するための領域等が設けられた画面であり、ファクシミリ機能に応じた画面とは、例えば、予め記憶手段に記憶されている送信先を選択するための領域等が設けられた画面である。
【０００５】
特許文献１には、装置本体の表面に設けられた第１の操作パネルと、装置本体内に収納可能に設けられた第２の操作パネルとを有するファクシミリ装置が記載されている。
【０００６】
特許文献２には、操作パネルの移動（回動動作）をスムーズに行うファクシミリ装置が記載されている。
【０００７】
【特許文献１】実開平６−７３９５２号公報（図１）
【特許文献２】実開平４−１３２７７２号公報（図１）
【発明の開示】
【発明が解決しようとする課題】
【０００８】
操作パネルは、設けられている装置本体を小型化するため、および使いやすさの観点から、装置本体に突出して設けられている場合がある。
【０００９】
しかし、操作パネルが設けられている装置の実使用上の占有面積には、操作パネルの面積も含まれるので、専有面積を小さくするためには、装置本体を小型化するだけでなく、操作パネルの大きさも重要である。そして、操作パネルを小型化することは可能であるが、操作パネルを小型化するとユーザの操作性を損なうおそれがある。具体的には、操作パネルが小型化されれば、例えば、複写機能に応じた画面における用紙の大きさを選択するため等の各領域の面積が狭くなり、ユーザは指示を入力しづらくなる。
【００１０】
特許文献１に記載されているファクシミリ装置は、第２の操作パネルに指示を入力するために、第２の操作パネルを装置本体から引き出さなければならないので、操作が煩雑になるという問題がある。また、ユーザによって各機能の使用頻度が異なるので、特に、第２の操作パネルに指示を入力する頻度が高いユーザの操作が複雑になる。
【００１１】
特許文献２に記載されているファクシミリ装置は、操作パネルに指示を入力するために、操作パネルにおける操作キーが設けられている面を外表面に露出させなければならないので、操作が煩雑になるという問題がある。
【００１２】
そこで、本発明は、複数の機能を有する本体部と、当該本体部に対する位置が移動可能に接続された操作部とを備えた電子機器、当該操作部に設けられた表示手段に情報を表示させる情報表示方法、および情報表示プログラムを提供することを目的とする。
【課題を解決するための手段】
【００１３】
本発明による電子機器は、本体部と、本体部に対する位置が移動可能に接続され、ユーザによって指示が入力される入力手段、および情報を表示する表示手段が設けられた操作部とを備えた電子機器であって、本体部は、操作部の位置を検出する検出手段と、操作部に、表示手段に表示させる画面の情報を送信する表示制御手段と、検出手段が検出した操作部の位置に応じて、表示制御手段に、表示手段に表示させる画面の情報を操作部へ送信させる制御手段とを含むことを特徴とする。
【００１４】
本体部は、印刷手段を含み、制御手段は、検出手段が検出した操作部の位置が所定の位置である場合に、印刷手段への電力供給を中断させてもよい。
【００１５】
本体部は、記憶手段と、通信回線を介して画像データを受信する受信手段とを含み、制御手段は、検出手段が検出した操作部の位置が所定の位置である場合に、受信手段が受信した画像データを、印刷手段に出力することなく、記憶手段に記憶させてもよい。
【００１６】
表示手段は、表示制御手段の制御に応じて点灯または消灯するバックライトを含み、制御手段は、検出手段が検出した操作部の位置が予め決められた位置である場合に、表示制御手段にバックライトを消灯させてもよい。
【００１７】
本発明による情報表示方法は、印刷手段を含む本体部に、本体部に対する位置が移動可能に接続された操作部に設けられた表示手段に情報を表示させる情報表示方法であって、本体部に対する操作部の位置を検出する検出ステップと、検出ステップで検出した操作部の位置に応じて、表示手段に表示させる画面の情報を、操作部に送信する制御ステップとを含み、制御ステップで、検出ステップにおいて操作部の位置が所定の位置であることを検出した場合に、印刷手段への電力供給を中断することを特徴とする。
【００１８】
本発明による情報表示プログラムは、本体部と、本体部に対する位置が移動可能に接続され、情報を表示する表示手段が設けられた操作部とを備えた電子機器に搭載される情報表示プログラムであって、コンピュータに、本体部に対する操作部の位置を判断する判断処理と、判断処理で判断した操作部の位置に応じて、表示手段に表示させる画面の情報を、操作部に送信する制御処理とを実行させ、制御処理で、判断処理において操作部の位置が所定の位置であると判断した場合に、印刷手段への電力供給を中断させることを特徴とする。
【発明の効果】
【００１９】
本発明によれば、操作部の位置に応じた画面が表示手段に表示されるので、各操作部の位置で使用頻度が高い機能を用いるための画面を表示手段に表示させ、各機能を用いるための操作を容易に行うことができる。
【００２０】
また、本体部が印刷手段を含み、操作部の位置が所定の位置である場合に、制御手段が、印刷手段への電力供給を中断させるように構成されている場合には、操作部の位置に応じて、消費電力を低減させることができる。
【００２１】
本体部が、記憶手段と通信回線を介して画像データを受信する受信手段とを含み、操作部の位置が所定の位置である場合に、制御手段が、受信手段が受信した画像データを、印刷手段に出力することなく、記憶手段に記憶させるように構成されている場合には、操作部の位置に応じて機能を制限することができるので、例えば、ユーザによる表示手段の視認が印刷用紙によって困難になることを防ぐことができる。
【００２２】
表示手段が表示制御手段の制御に応じて点灯または消灯するバックライトを含み、操作部の位置が予め決められた位置である場合に、制御手段が、表示制御手段にバックライトを消灯させるように構成されている場合には、操作部の位置に応じて、消費電力を低減させることができる。
【発明を実施するための最良の形態】
【００２３】
本発明による電子機器の実施の形態について、図面を参照して説明する。図１は、本発明の電子機器の実施の形態のファクシミリ複合機１０の外観を示す外観斜視図である。なお、本例では、電子機器がファクシミリ機能、複写機能およびスキャナ機能を有するファクシミリ複合機１０であるとして説明する。
【００２４】
図１に示すようにファクシミリ複合機１０には、ファクシミリ機能、複写機能、スキャナ機能、画像読み取り機能および印刷機能を有する本体部５と、画像読み取り機能を実現する画像読み取り部１０８に原稿を供給する自動原稿送り部４とを含む。なお、本例では、図１に示すように、自動原稿送り部４が本体部５の上に設置されている。本体部５の画像読み取り部１０８は、自動原稿送り部４によって送られた原稿を読み取る。
【００２５】
図１に示すように、自動原稿送り部４の上部には、原稿を自動原稿送り部４に供給するための原稿供給棚６が設けられ、自動原稿送り部４の下部には、原稿供給棚６によって自動原稿送り部４に供給されて、本体部５の画像読み取り部１０８で読み取られ、排出された原稿を保持する原稿排出棚７が設けられている。
【００２６】
図１に示すように、本体部５の中央部には、ファクシミリ機能が用いられた場合に受信した画像データにもとづく画像を印刷し、複写機能が用いられた場合に画像読み取り部が読み取った画像（原稿）を印刷する印刷部１０４によって印刷され、排出された出力紙を保持する凹部（出力紙排出棚２）が設けられている。
【００２７】
図１に示すように、本体部５の出力紙排出棚２の上面の端部には、切り欠きが設けられ、切り欠かれた部分に、ユーザによって指示が入力される操作パネル（操作部）１が設置されている。そして、操作パネル１には、ユーザによって指示が入力される複数のボタン８と、情報が表示され、ユーザによって指示が入力されるタッチパネル（表示手段，入力手段）３とが設けられている。
【００２８】
ボタン８には、例えば、複写機能が用いられた場合に、ユーザによって複写枚数が入力されたり、ファクシミリ機能が用いられた場合に、ユーザによって送信先の電話番号が入力されたりする。
【００２９】
タッチパネル３には、複写機能が用いられた場合に、用紙の大きさを選択するための領域等が設けられた画面や、ファクシミリ機能が用いられた場合に、予め記憶手段１０５に記憶されている送信先を選択するための領域等が設けられた画面等が表示される。そして、ユーザによってそれらの領域が触れられて指示が入力される。
【００３０】
操作パネル１は、ユーザの操作に従って、本体部５の出力紙排出棚２の上面に接する端部の近傍を支点に、操作パネル１におけるタッチパネル３が設けられている面と、出力紙排出棚２の上面とのなす角度が複数の所定の角度で保持可能に回動する。
【００３１】
図１に示す例では、操作パネル１におけるタッチパネル３が設けられている面と、出力紙排出棚２の上面とのなす角度が４５°であるように保持されている。
【００３２】
図２は、操作パネル１におけるタッチパネル３が設けられている面と、出力紙排出棚２の上面とのなす角度が０°であるように保持されている場合のファクシミリ複合機１０の外観を示す外観斜視図である。
【００３３】
また、図３は、操作パネル１におけるタッチパネル３が設けられている面と、出力紙排出棚２の上面とのなす角度が９０°であるように保持されている場合の操作パネル１を示す外観斜視図である。
【００３４】
なお、図３における操作パネル１の水平方向を、以下、操作パネル１の長手方向という。
【００３５】
図３に示すように、本体部５における出力紙排出棚２の上面の端部の近傍には、操作パネル１を支持するための支持部９が設けられている。また、図３に示すように、操作パネル１におけるタッチパネル３が設けられている面の裏側の面であって、本体部５における出力紙排出棚２の上面に接する部分の近傍には、支持部９に対応する突起部１１が設けられている。
【００３６】
図３に示すように、支持部９と突起部１１とは、軸１２によって、軸１２を支点に操作パネル１が回動可能に接続されている。
【００３７】
図４は、操作パネル１が、軸１２を支点に回転している様子を示す説明図である。図４に示すように、操作パネル１は、操作パネル１におけるタッチパネル３が設けられている面と、出力紙排出棚２の上面とのなす角度が０°から９０°の範囲で、軸１２を支点に回動する。
【００３８】
図５は、操作パネル１におけるタッチパネル３が設けられている面と、出力紙排出棚２の上面とのなす角度が４５°であるように保持されている場合の操作パネル１を示す外観斜視図である。
【００３９】
図５に示すように、操作パネル１におけるタッチパネル３が設けられている面の裏側の面には、操作パネル１に回動可能に接続された第１の接続部材２１と、第２の接続部材２２とが設けられている。第１の接続部材２１および第２の接続部材２２の一端は、操作パネル１におけるタッチパネル３が設けられている面の裏面に、操作パネル１の長手方向の面に沿って回動可能に接続されている。
【００４０】
また、第１の接続部材２１および第２の接続部材２２の他端には、第１の接続部材２１と第２の接続部材２２とを接続し、操作パネル１におけるタッチパネル３が設けられている面と、出力紙排出棚２の上面とのなす角度を保持するための角度保持部２３が設けられている。
【００４１】
図６は、操作パネル１におけるタッチパネル３が設けられている面と、出力紙排出棚２の上面とのなす角度が０°であるように保持されている場合の操作パネル１を示す外観斜視図である。
【００４２】
図６に示すように、本体部５において、操作パネル１におけるタッチパネル３が設けられている面と出力紙排出棚２の上面とのなす角度が９０°である場合に、操作パネル１におけるタッチパネル３が設けられている面の裏面に向かい合う部分には、第１の角度支持部３１と第２の角度支持部３２とが設置されている。
【００４３】
図６に示すように、第１の角度支持部３１および第２の角度支持部３２には、操作パネル１の角度保持部２３を係止する係止部分を有するように切り欠きがそれぞれ設けられている。図６に示す例では、切り欠きは、第１の角度支持部３１および第２の角度支持部３２における操作パネル１におけるタッチパネル３が設けられている面の裏面に向かい合う部分にのこぎり波状に設けられている。そして、係止部分は、のこぎり波状の切り欠き形状のうち、水平方向に切り欠かれた部分である。図６に示す例では、第１の角度支持部３１および第２の角度支持部３２には、それぞれ、第１の係止部分４１、第２の係止部分４２および第３の係止部分４３が設けられている。
【００４４】
なお、各係止部分は、操作パネル１を、出力紙排出棚２の上面に対して保持する角度に応じた位置に設けられている。本例では、図６に示すように、第１の係止部分４１は、操作パネル１におけるタッチパネル３が設けられている面と、出力紙排出棚２の上面とのなす角度が０°で保持される位置に設けられている。また、第２の係止部分４２は、操作パネル１におけるタッチパネル３が設けられている面と、出力紙排出棚２の上面とのなす角度が４５°で保持される位置に設けられている。また、第３の係止部分４３は、操作パネル１におけるタッチパネル３が設けられている面と、出力紙排出棚２の上面とのなす角度が９０°で保持される位置に設けられている。
【００４５】
図６に示す例では、操作パネル１の角度保持部２３が第１の係止部分４１で係止されているので、操作パネル１におけるタッチパネル３が設けられている面と、出力紙排出棚２の上面とのなす角度が０°で保持されている。
【００４６】
なお、図５に示す例では、操作パネル１の角度保持部２３が第２の係止部分４２で係止されているので、操作パネル１におけるタッチパネル３が設けられている面と、出力紙排出棚２の上面とのなす角度が４５°で保持されている。
【００４７】
なお、図３に示す例では、操作パネル１の角度保持部２３が第３の係止部分４３で係止されているので、操作パネル１におけるタッチパネル３が設けられている面と、出力紙排出棚２の上面とのなす角度が９０°で保持されている。
【００４８】
また、図６に示すように、支持部９には、操作パネル１におけるタッチパネル３が設けられている面と、出力紙排出棚２の上面とのなす角度を検出するための第１のスイッチ５１および第２のスイッチ５２が設けられている。
【００４９】
第１のスイッチ５１は、操作パネル１におけるタッチパネル３が設けられている面と、出力紙排出棚２の上面とのなす角度が４５°で保持されている状態、および操作パネル１におけるタッチパネル３が設けられている面と、出力紙排出棚２の上面とのなす角度が９０°で保持されている状態で、突起部１１に押下される位置に設けられている。
【００５０】
第２のスイッチ５２は、操作パネル１におけるタッチパネル３が設けられている面と、出力紙排出棚２の上面とのなす角度が９０°で保持されている状態で、突起部１１に押下される位置に設けられている。
【００５１】
なお、本例では、第１のスイッチ５１および第２のスイッチ５２は、圧電素子であるとして説明するが、赤外線発光部と赤外線受光部とをそれぞれ備えた赤外線センサであってもよい。
【００５２】
第１のスイッチ５１および第２のスイッチ５２が赤外線センサである場合に、第１のスイッチ５１は、操作パネル１におけるタッチパネル３が設けられている面と、出力紙排出棚２の上面とのなす角度が４５°で保持されている状態、および操作パネル１におけるタッチパネル３が設けられている面と、出力紙排出棚２の上面とのなす角度が９０°で保持されている状態で、赤外線発光部が出力した赤外線を、突起部１１が遮って赤外線受光部に入力されない位置に設けられる。また、第２のスイッチ５２は、操作パネル１におけるタッチパネル３が設けられている面と、出力紙排出棚２の上面とのなす角度が９０°で保持されている状態で、赤外線発光部が出力した赤外線を、突起部１１が遮って赤外線受光部に入力されない位置に設けられる。
【００５３】
また、第１のスイッチ５１および第２のスイッチ５２の代わりに、第１の係止部分４１、第２の係止部分４２および第３の係止部分４３に、各係止部分が操作パネル１の角度保持部２３を係止している場合に角度保持部２３によって押下されるスイッチがそれぞれ設けられていてもよい。
【００５４】
図７は、ファクシミリ複合機１０の構成を示すブロック図である。図７に示すように、ファクシミリ複合機１０は、制御部１００、ファクシミリ機能部１０１、複写機能部１０２、スキャナ機能部１０３、印刷部１０４、記憶部１０５、表示制御部１０６、スイッチ入力部１０７および画像読み取り部１０８を含む。
【００５５】
画像読み取り部１０８は、原稿を読み取る機能を有する。ファクシミリ機能部１０１は、画像読み取り部１０８が読み取った原稿にもとづく画像データを電話通信回線を介して送信先に送信したり、電話通信回線を介して受信した画像データを印刷部１０４や記憶部１０５に出力したりする機能を有する。
【００５６】
複写機能部１０２は、画像読み取り部１０８が読み取った原稿にもとづく画像データを印刷部１０４に出力する機能を有する。スキャナ機能部１０３は、画像読み取り部１０８が読み取った原稿にもとづく画像データを、ＬＡＮ（Ｌｏｃａｌ  Ａｒｅａ  Ｎｅｔｗｏｒｋ）を介してコンピュータに送信する機能を有する。印刷部１０４は、入力された画像データにもとづく画像を出力紙に印刷する機能を有し、定着器を含む。なお、定着器の内部には、当該定着器を所定の温度に保つためのヒータとしてランプが設置されている。
【００５７】
記憶部１０５は、情報を記憶する。表示制御部１０６は、操作パネル１のタッチパネル３を制御する。具体的には、タッチパネル３に表示させる画面の情報を操作パネル１に送信したり、タッチパネル３に表示される画面をユーザに認識させるためのバックライトを点灯させるのかまたは消灯させるのかの制御等を行う。なお、画面の情報とは、タッチパネル３に文字や画像等を表示させるための情報である。
【００５８】
スイッチ入力部１０７は、第１のスイッチ５１および第２のスイッチ５２が押下されたか否かを検出して、押下されたスイッチを示す情報を制御部１００に出力する。制御部１００は、各部を制御する。なお、制御部１００は、スイッチ入力部１０７が出力した情報にもとづいて、第１のスイッチ５１および第２のスイッチ５２が押下されたか否かを判断し（すなわち、操作パネル１におけるタッチパネル３が設けられている面と、出力紙排出棚２の上面とのなす角度が何度であるのかを判断している。）、第１の状態、第２の状態または第３の状態に各部を制御する。
【００５９】
なお、ファクシミリ複合機１０には、コンピュータに、本体部５に対する操作パネル１の位置（操作パネル１におけるタッチパネル３が設けられている面と、出力紙排出棚２の上面とのなす角度）を判断する判断処理と、判断処理で判断した操作パネル１の位置に応じて、タッチパネル３に表示させる画面の情報を、操作パネル１に送信する制御処理とを実行させ、制御処理で、判断処理において操作パネルの位置が所定の位置であると判断した場合に、印刷部１０４への電力供給を中断させるための情報表示プログラムが搭載されている。
【００６０】
次に、ファクシミリ複合機１０の動作について、図面を参照して説明する。図８は、ファクシミリ複合機１０の動作を示すフローチャートである。
【００６１】
制御部１００は、第１のスイッチ５１および第２のスイッチ５２が押下されていないと判断した場合に（ステップＳ１０１のＮ）、第１の状態に各部を制御する（ステップＳ１０２）。第１の状態とは、操作パネル１におけるタッチパネル３が設けられている面と、出力紙排出棚２の上面とのなす角度が０°であるように保持されている場合に応じた動作を行う状態である。
【００６２】
具体的には、制御部１００は、例えば、印刷部１０４のランプへの電力供給を中断させたり、ファクシミリ機能部１０１が受信した画像データを印刷部１０４に出力することなく、記憶部１０５に記憶させたりする。本例では、図２に示すように、操作パネル１におけるタッチパネル３が設けられている面と、出力紙排出棚２の上面とのなす角度が０°である場合に、印刷部１０４によって印刷されて排出された出力紙が、操作パネル１の上に積載されてユーザがタッチパネル３を視認することが困難になるので、制御部１００は、第１の状態で、印刷部１０４に印刷動作を行わせない。さらに、第１の状態における消費電力を低減するために、制御部１００は、印刷部１０４のランプへの電力供給を中断させる。また、制御部１００は、表示制御部１０６に、スキャナ機能を用いるための画面の情報を操作パネル１に送信させ、タッチパネル３に、スキャナ機能を用いるための画面を表示させる。なお、制御部１００は、ユーザによってタッチパネル３になされた操作に従って、印刷部１０４に印刷動作を行わせてもよい。
【００６３】
制御部１００は、第１のスイッチ５１と第２のスイッチ５２とが押下されたと判断した場合に（ステップＳ１０１のＹ，ステップＳ１０３のＹ）、第２の状態に各部を制御する（ステップＳ１０４）。第２の状態とは、操作パネル１におけるタッチパネル３が設けられている面と、出力紙排出棚２の上面とのなす角度が９０°であるように保持されている場合に応じた動作を行う状態である。
【００６４】
具体的には、例えば、印刷部１０４のランプへの電力供給を中断させたりする。なお、ファクシミリ機能部１０１が画像データを受信した場合に、制御部１００は、印刷部１０４のランプへの電力供給を再開させ、画像データを印刷部１０４へ出力させる。本例では、図３に示すように、操作パネル１におけるタッチパネル３が設けられている面と、出力紙排出棚２の上面とのなす角度が９０°である場合に、ユーザが、タッチパネル３を視認することが困難になるので、制御部１００は、ファクシミリ機能部１０１が画像データを受信した場合を除いて、印刷部１０４に印刷動作を行わせない。さらに、第２の状態における消費電力を低減するために、制御部１００は、ファクシミリ機能部１０１が画像データを受信するまで、印刷部１０４のランプへの電力供給を中断させる。また、制御部１００は、第２の状態における消費電力を低減するために、表示制御部１０６に、タッチパネル３のバックライトを消灯させる。なお、制御部１００は、ユーザによってタッチパネル３になされた操作に従って、印刷部１０４に印刷動作を行わせてもよい。
【００６５】
制御部１００は、第１のスイッチ５１が押下され、第２のスイッチ５２が押下されていないと判断した場合に（ステップＳ１０１のＹ，ステップＳ１０３のＮ）、第３の状態に各部を制御する（ステップＳ１０５）。第３の状態とは、操作パネル１におけるタッチパネル３が設けられている面と、出力紙排出棚２の上面とのなす角度が４５°であるように保持されている場合に応じた動作を行う状態である。
【００６６】
具体的には、制御部１００は、例えば、ファクシミリ機能部１０１、複写機能部１０２、スキャナ機能部１０３、印刷部１０４、記憶部１０５、表示制御部１０６および画像読み取り部１０８が有する機能の全てを発揮させるための動作を、ユーザによってタッチパネル３等になされた操作に従って行わせる。また、制御部１００は、表示制御部１０６に、複写機能を用いるための画面の情報を操作パネル１に送信させ、タッチパネル３に、複写機能を用いるための画面を表示させる。
【００６７】
なお、記憶部１０５に、各状態でタッチパネル３に表示させる画面の情報を予め記憶させておき、制御部１００が、各スイッチが押下されたか否かに応じて（つまり、各状態に応じて）、記憶部１０５からタッチパネル３に表示させる画面の情報を読み出して、表示制御部１０６にタッチパネル３へ出力させてもよい。
【００６８】
具体的には、例えば、操作パネル１におけるタッチパネル３が設けられている面と出力紙排出棚２の上面とのなす角度が０°である状態でファクシミリ複合機１０を使用するユーザは、複写機能の使用頻度が高い場合に、制御部１００は、第１のスイッチ５１および第２のスイッチ５２が押下されていないと判断したときに、表示制御部１０６に、複写機能を用いるための画面の情報を操作パネル１に送信させ、タッチパネル３に、複写機能を用いるための画面を表示させる。
【００６９】
また、例えば、操作パネル１におけるタッチパネル３が設けられている面と出力紙排出棚２の上面とのなす角度が４５°である状態でファクシミリ複合機１０を使用するユーザは、スキャナ機能の使用頻度が高い場合に、制御部１００は、第１のスイッチ５１が押下され第２のスイッチ５２が押下されていないと判断したときに、表示制御部１０６に、スキャナ機能を用いるための画面の情報を操作パネル１に送信させ、タッチパネル３に、スキャナ機能を用いるための画面を表示させる。
【００７０】
また、例えば、操作パネル１におけるタッチパネル３が設けられている面と出力紙排出棚２の上面とのなす角度が９０°である状態でファクシミリ複合機１０を使用するユーザは、ファクシミリ機能の使用頻度が高い場合に、制御部１００は、第１のスイッチ５１が押下され第２のスイッチ５２が押下されていないと判断したときに、表示制御部１０６に、ファクシミリ機能を用いるための画面の情報を操作パネル１に送信させ、タッチパネル３に、ファクシミリ機能を用いるための画面を表示させる。
【００７１】
本実施の形態によれば、制御部１００が、操作パネル１におけるタッチパネル３が設けられている面と、出力紙排出棚２の上面とのなす角度に応じて、機能を制限し、電力供給を中断したりして、消費電力を低減させることができる。
【００７２】
また、本実施の形態によれば、操作パネル１におけるタッチパネル３が設けられている面と出力紙排出棚２の上面とのなす角度に応じた画面が、タッチパネル３に表示されるので、各角度に応じて使用頻度が高い機能を用いるための画面がタッチパネル３に表示され、各機能を用いるための操作を容易に行うことができる。また、複数のユーザが、それぞれ使用頻度が高い機能の操作を容易に行うことができる。
【００７３】
なお、本実施の形態のファクシミリ複合機１０には、係止部分が３つ（第１の係止部分４１、第２の係止部分４２および第３の係止部分４３）設けられているが、本発明はこれに限定されるものではなく、より多くの係止部分とそれに応じたスイッチとが設けられていてもよいし、より少ない係止部分とそれに応じたスイッチとが設けられていてもよい。そして、制御部１００は、係止部分の数に応じた種類の状態に各部を制御する。
【００７４】
より多くの係止部分とそれに応じたスイッチとが設けられ、制御部１００は、係止部分の数に応じた種類の状態に各部を制御するように構成されている場合には、より多くのユーザが、それぞれ使用頻度が高い機能の操作を容易に行うことができる。
【００７５】
なお、本実施の形態では、操作パネル１は、操作パネル１におけるタッチパネル３が設けられている面と、出力紙排出棚２の上面とのなす角度が０°、４５°または９０°で係止されているが、別の角度で係止されていてもよい。
【産業上の利用可能性】
【００７６】
本発明は、本体部と、当該本体部に対する位置が移動可能に接続された操作部に設けられた表示手段に情報を表示させる電子機器に適用できる。
【図面の簡単な説明】
【００７７】
【図１】本発明の電子機器の実施の形態のファクシミリ複合機の外観を示す外観斜視図である。
【図２】操作パネルにおけるタッチパネルが設けられている面と、出力紙排出棚の上面とのなす角度が０°であるように保持されている場合のファクシミリ複合機の外観を示す外観斜視図である。
【図３】操作パネルにおけるタッチパネルが設けられている面と、出力紙排出棚の上面とのなす角度が９０°であるように保持されている場合の操作パネルを示す外観斜視図である。
【図４】操作パネルが、軸を支点に回転している様子を示す説明図である。
【図５】操作パネルにおけるタッチパネルが設けられている面と、出力紙排出棚の上面とのなす角度が４５°であるように保持されている場合の操作パネル１を示す外観斜視図である。
【図６】操作パネルにおけるタッチパネルが設けられている面と、出力紙排出棚２の上面とのなす角度が０°であるように保持されている場合の操作パネルを示す外観斜視図である。
【図７】ファクシミリ複合機の構成を示すブロック図である。
【図８】ファクシミリ複合機の動作を示すフローチャートである。
【符号の説明】
【００７８】
１  操作パネル
２  出力紙排出棚
３  タッチパネル
４  自動原稿送り部
５  本体部
６  原稿供給棚
７  原稿排出棚
８  ボタン
９  支持部
１０  ファクシミリ複合機
１１  突起部
１２  軸
２１  第１の接続部材
２２  第２の接続部材
２３  角度保持部
３１  第１の角度支持部
３２  第２の角度支持部
４１  第１の係止部分
４２  第２の係止部分
４３  第３の係止部分
５１  第１のスイッチ
５２  第２のスイッチ
１００  制御部
１０１  ファクシミリ機能部
１０２  複写機能部
１０３  スキャナ機能部
１０４  印刷部
１０５  記憶部
１０６  表示制御部
１０７  スイッチ制御部
１０８  画像読み取り部
【図１】
2008228015.tif 000003
【図２】
2008228015.tif 000004
【図３】
2008228015.tif 000005
【図４】
2008228015.tif 000006
【図５】
2008228015.tif 000007
【図６】
2008228015.tif 000008
【図７】
2008228015.tif 000009
【図８】
2008228015.tif 000010
【手続補正書】
【提出日】平成19年3月22日(2007.3.22)
【手続補正１】
【補正対象書類名】図面
【補正対象項目名】図８
【補正方法】変更
【補正の内容】
【図８】
2008228015.tif 000011